(57)【要約】【課題】一人用の小型の調理用ホットプレートを提供することを主要な目的とする。【解決手段】調理用ホットプレートは、調理面１ａの面積Ｓが２００ｃｍ２以下にされた加熱用プレート１と、加熱用プレート１を下から支える支持台２と、加熱用プレート１を覆う蓋部材５と、支持台２の外周部に設けられたネジ山２ａと、蓋部材５の外周部の内壁に設けられたネジ山が嵌合するネジ溝５ａとを備える。ネジ山２ａにネジ溝５ａを当てて蓋部材５を回転させることにより、蓋部材５を支持台２に固定することができるようにされている。調理面１ａの面積Ｓが２００ｃｍ２以下にされているので、ホットプレート自体を小さく、軽くすることが可能となる。そのため、小型で持ち運び易くなり、一人で食事をする場合などに手軽に取り出して惣菜などを温めることができる。【選択図】  図１
2004215944.tif 000002
【特許請求の範囲】
【請求項１】
調理面の面積が２００ｃｍ２以下にされた加熱用プレートを備えた調理用ホットプレート。
【請求項２】
前記加熱用プレートを下から支える支持台と、
前記加熱用プレートを覆う蓋部材と、
前記支持台の外周部に設けられたネジ山と、
前記蓋部材の外周部の内壁に設けられた前記ネジ山が嵌合するネジ溝と、を備え、
前記ネジ山に前記ネジ溝を当てて前記蓋部材を回転させることにより、前記蓋部材を前記支持台に固定することができるようにした、請求項１に記載の調理用ホットプレート。
【請求項３】
当該調理用ホットプレートを手に提げて持ち運ぶための手提げ手段を備える、請求項１または２に記載の調理用ホットプレート。
【発明の詳細な説明】
【０００１】
【発明の属する技術分野】
この発明は一般に調理用ホットプレートに関するものであり、より特定的には、一人用で、簡易に、経済的に使用することができるように改良された小型の調理用ホットプレートに関する。
【０００２】
【従来の技術】
調理用ホットプレートは、調理面をヒータで加熱する構造であり、火を用いないため安全である。そのため、調理用ホットプレートは食卓机の上に置いてお好み焼き等の焼き物を焼いて家族団欒を楽しみながら食事をする場合に重宝されている。市場に出ている従来の調理用ホットプレートには、３人から４人用のもので、プレートの内径が３０から４０ｃｍの円形平面形状を有するものや、３０ｃｍ×２５ｃｍ、５０ｃｍ×３５ｃｍ、６５ｃｍ×５０ｃｍの矩型形状のものが多い。
【０００３】
【発明が解決しようとする課題】
家族団欒を楽しむためには、家族が囲める大型の調理用ホットプレートが有用である。
【０００４】
しかしながら、主婦が昼間一人で食事をする際、卵焼きでも作ろうと思った場合、上述のような大型の調理用ホットプレートを持ち出すのは、重くて面倒である。また、１個の卵焼きのために、３０ｃｍ×２５ｃｍのプレート面を全部加熱するのは不経済である。さらに、仕事場で、お昼のお弁当のおかずを温めたい場合もある。このような場合、ガス火を使って温めるの面倒であり、小さな調理用ホットプレートがあれば便利である。
【０００５】
それゆえに、この発明の目的は、上記のような要望を満たすためになされたもので、一人用の調理用ホットプレートを提供することにある。
【０００６】
この発明の他の目的は、手軽に保管、持ち出しすることができるように改良された調理用ホットプレートを提供することにある。
【０００７】
【課題を解決するための手段】
この発明にかかる調理用ホットプレートは、調理面の面積が２００ｃｍ２以下にされた加熱用プレートを備える。
【０００８】
調理面の面積が２００ｃｍ２以下にされているので、調理用ホットプレート自体も非常に小さくすることができ、持ち運び易くなり、一人で食事をする場合などに手軽に惣菜などを温めることができる。
【０００９】
この発明の好ましい実施態様にかかる調理用ホットプレートは、上記加熱用プレートを下から支える支持台と上記加熱用プレートを覆う蓋部材とを備える。上記支持台の外周部にネジ山が設けられている。上記蓋部材の外周部の内壁に上記ネジ山が嵌合するネジ溝が設けられている。上記ネジ山に上記ネジ溝を当てて上記蓋部材を回転させることにより、上記蓋部材を上記支持台に固定することができるようにされている。
【００１０】
この発明の好ましい実施態様によれば、当該調理用ホットプレートを手に下げて持ち運ぶための手提げ手段を備える。従来の大型の調理用ホットプレートは手で提げるということはできなかったが、この発明によれば、小型化されているため、手に提げるということが可能となる。
【００１１】
【発明の実施の形態】
以下、この発明の実施の形態を、図面を用いて説明する。
【００１２】
（実施の形態１）
【００１３】
図１は、実施の形態１に係る調理用ホットプレートの平面図であり、図２は図１におけるＩＩ―ＩＩ線に沿う断面図である。
【００１４】
これらの図を参照して、調理用ホットプレートは、調理面１ａの面積Ｓが２００ｃｍ２以下にされた加熱用プレート１を備える、２００ｃｍ２という面積は、卵の白身が固まる温度に加熱された調理面１ａに生卵１個が割って落とされた時に広がる面積にほぼ等しい。加熱用プレート１を支持台２が下から支えている。支持台２の側壁にはネジ山２ａが設けられている。加熱用プレート１と支持台２の間にヒータ３が配置されている。ヒータ３は、図示しないが電源に接続されるようになっている。支持台２には脚４が設けられている。
【００１５】
本実施例によれば、調理面１ａの面積が２００ｃｍ２以下にされているので、ホットプレート自体を小さく、軽くすることが可能となる。そのため、小型で持ち運び易くなり、一人で食事をする場合などに手軽に惣菜などを温めることができる。目玉焼き１個を焼く場合にも手軽に行える。
【００１６】
また調理面１ａの面積が２００ｃｍ２以下にされているため、調理面１ａの全面を温めても消費電力は少ない。一人でホットケーキを焼いて食べることもできる。また、単身赴任者が夜アパートに帰って、酒の肴を一人分温める場合にも便利である。また、火の気がないため、安全である。
【００１７】
（実施の形態２）
【００１８】
図３は実施の形態２にかかる調理用ホットプレートの断面図である。
【００１９】
図３に示すホットプレートは、以下の点を除いて、図２に示すホットプレートと同一であるので、同一または相当する部分には、同一の参照番号を付し、その説明を繰り返さない。
【００２０】
支持台２の上に、加熱用プレート１を覆う蓋部材５が設けられている。蓋部材５の上には、手で蓋部材を掴むための把持部材６が設けられている。蓋部材５の内壁面には、ネジ山２ａに嵌り合うネジ溝５ａが設けられている。ネジ山２ａにネジ溝５ａを当てて蓋部材５を回転させることにより、蓋部材５を支持台２に固定することができる。逆方向に蓋部材５を回転させることにより、蓋部材５と支持台２を分離し、調理面１ａを露出させることができる。蓋部材５によって、調理面１ａを守ることができる。
【００２１】
また、支持台２の側壁にホットプレート本体を手に提げて持ち運ぶための手提げ部材７が固定されている。手提げ部材７は、紙面に対して、前後方向に固定軸８を軸にして回動自在になっている。ホットプレート本体自体が小型にされているので、このような手提げ部材７を設けることにより、容易に持ち運ぶことができるのである。このホットプレートは非常に小型であるため、景品、土産品として使用することもできる。
【００２２】
図４は、本実施の形態にかかるホットプレートの変形例である。図４に示すホットプレートは、図３に示す装置と以下の点を除いて同一であるので、同一または相当する部分には同一の参照番号を付し、その説明を繰り返さない。
【００２３】
本変形例では、手提げ部材が紐９で構成され、紐９は把持部材６に取り付けられている。ホットプレート本体自体が小型化、軽量化されているので、このような紐９を設けることにより、容易に持ち運ぶことができるのである。
【００２４】
（実施の形態３）
【００２５】
図５は、調理面１ａの平面形状を示す図である。調理面１ａの平面形状は、例えば、六角形（ａ）、星型（ｂ）、花柄（ｃ）である。形状を楽しみながら食事をする人に用いられる。いずれも、調理面１ａの面積が２００ｃｍ２以下にされているので、ホットプレート自体を小さく、軽くすることが可能となる。（ｄ）は、加熱用プレート１および調理面１ａの平面形状が矩型である場合であり、（ｅ）は、加熱用プレート１の平面形状が矩型であり、調理面１ａの平面形状が円形の場合である。いずれも、調理面１ａの面積が２００ｃｍ２以下にされているので、ホットプレート自体を小さく、軽くすることが可能となる。
【００２６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００２７】
【発明の効果】
以上説明したとおり、この発明によれば、調理面の面積が２００ｃｍ２以下にされているので、調理面の全面を温めても消費電力は少ない。また、調理用ホットプレート自体も非常に小さくすることができ、持ち運び易くすることができる。
【図面の簡単な説明】
【図１】実施の形態１に係る調理用ホットプレートの平面図
【図２】図１におけるＩＩ―ＩＩ線に沿う概略断面図
【図３】実施の形態２にかかる調理用ホットプレートの概略断面図
【図４】実施の形態２にかかるホットプレートの変形例を示す概略断面図
【図５】実施の形態３にかかるホットプレートの調理面の平面形状を示す図
【符号の説明】
１  加熱用プレート、１ａ  調理面、  ２  支持台。
【図１】
2004215944.tif 000003
【図２】
2004215944.tif 000004
【図３】
2004215944.tif 000005
【図４】
2004215944.tif 000006
【図５】
2004215944.tif 000007